(57)【要約】【課題】本発明は、手振れ補正機能を有する形態機器に関するもので、操作性を向上することを目的とする。【解決手段】手振れ補正モードを有する携帯機器において、その制御部５に、前記手振れ補正モードを開始する手振れ補正開始機能と、前記手振れ補正モードを停止する手振れ補正停止機能を有する操作部１０を接続したものであるので、例えば、表示部２に表示された他の操作部９を操作するときには、操作部１０を操作して、表示部２内の操作部９も停止することができる。  このため、この操作部９の操作は極めて行いやすく、操作性の高いものとなる。【選択図】図１
2013211620.tif 000002
【特許請求の範囲】
【請求項１】
本体ケースと、前記本体ケースの前面側に設けられた表示部およびカメラ部と、前記表示部および前記カメラ部を制御する制御部とを備え、
前記制御部は、前記カメラ部で撮影した画像の目の位置により前記表示部に表示された映像を前記表示部内で移動表示させる手振れ補正モードを実行するとともに、前記表示部に前記手振れ補正モードを起動する手振れ補正起動スイッチと前記手振れ補正モードを停止する手振れ補正停止スイッチとを表示したことを特徴とする携帯機器。
【請求項２】
前記制御部は、前記手振れ補正モードの状態に関わらず、前記手振れ補正起動スイッチ又は前記手振れ補正停止スイッチを不動状態で表示したことを特徴とする請求項１に記載の携帯機器。
【請求項３】
前記手振れ補正起動スイッチと前記手振れ補正停止スイッチとを兼用したことを特徴とする請求項１または請求項２に記載の携帯機器。
【請求項４】
前記表示部を矩形状とし、前記手振れ補正起動スイッチまたは前記手振れ補正停止スイッチを前記表示部のコーナー部に表示したことを特徴とする請求項１ないし請求項３のいずれかに記載の携帯機器。
【発明の詳細な説明】
【技術分野】
【０００１】
本発明は、携帯電話や携帯ゲーム機等の携帯機器に関するものである。
【背景技術】
【０００２】
携帯機器は持ち歩き、どこでもその表示部に映し出された映像を観ることが出来るので、極めて利便性の高いものである。
【０００３】
しかしながら、例えば自動車の車内で、表示部に映し出された映像を観ている時には、道路状況や、運転の状態に応じて手振れ状態が発生し、その時には、表示部に映し出された映像が極めて観づらい状況となる。
【０００４】
そこで、このような手振れ発生時の対策として、以下に示す構造の、手振れ補正モードを有する携帯機器が提案されている。
【０００５】
すなわち、本体ケースと、この本体ケースの前面側に設けられた表示部およびカメラ部と、これらの表示部およびカメラ部に接続された制御部と、この制御部に接続されたメモリ部とを備え、制御部は、カメラ部で撮影した画像により、表示部に表示された映像を、この表示部内で移動表示をさせる手振れ補正モードを実行させる構成になっていた（たとえば、特許文献１）。
【先行技術文献】
【特許文献】
【０００６】
【特許文献１】特開２００６−３２３２５５号公報
【発明の概要】
【発明が解決しようとする課題】
【０００７】
従来技術によれば、表示部を観つめる人物の顔、具体的には、目の位置をカメラ部により検出し、手振れが発生した時には、前記カメラ部で撮影した画像により表示部に表示された映像を、この表示部内で移動表示をさせる。
【０００８】
具体的には、目と映像の相対関係の差を縮小するので、表示部に映し出された映像が観づらくなるのを抑制することができる。
【０００９】
しかしながら、このような手振れ補正モードが実行されている状態においては、常に表示部に表示された映像を、この表示部内で移動表示をさせているので、操作性が悪化する時がある。
【００１０】
すなわち、近年の携帯機器では、表示部内に操作部も表示されるようになっているので、手振れ補正モードが実行されている状態においては、この操作部も一緒に移動表示されることになる。
【００１１】
このため、このように移動表示されている操作部を適切に操作することは難しく、その結果として操作性の悪いものとなる。
【００１２】
そこで、本発明は、手振れ補正の処理をしている状態であっても、表示部内の操作部の操作性を向上することができる携帯機器を提供することを目的とするものである。
【課題を解決するための手段】
【００１３】
この目的を達成するために本発明は、本体ケースと、前記本体ケースの前面側に設けられた表示部およびカメラ部と、前記表示部および前記カメラ部を制御する制御部とを備え、前記制御部は、前記カメラ部で撮影した画像の目の位置により前記表示部に表示された映像を前記表示部内で移動表示させる手振れ補正モードを実行するとともに、前記表示部に前記手振れ補正モードを起動する手振れ補正起動スイッチと前記手振れ補正モードを停止する手振れ補正停止スイッチとを表示したものである。これにより、所期の目的を達成するものである。
【発明の効果】
【００１４】
以上のように、本発明は、表示部に表示された操作部を操作するときには、手振れ補正停止スイッチを操作すれば簡単に表示部内の操作部も停止することになるため、この操作部の操作は極めて行いやすく、操作性の高いものとなる。
【図面の簡単な説明】
【００１５】
【図１】本発明の一実施形態にかかる携帯機器を示す正面図
【図２】本発明の一実施形態にかかる携帯機器の制御ブロック図
【図３】本発明の一実施形態にかかる携帯機器を示す正面図
【図４】本発明の一実施形態にかかる携帯機器を示す正面図
【図５】本発明の一実施形態にかかる携帯機器の動作フローチャート
【図６】本発明の一実施形態にかかる携帯機器の動作フローチャート
【図７】本発明の一実施形態にかかる携帯機器の動作フローチャート
【図８】本発明の一実施形態にかかる携帯機器の動作フローチャート
【図９】本発明の一実施形態にかかる携帯機器の動作フローチャート
【図１０】本発明の一実施形態にかかる携帯機器の動作フローチャート
【発明を実施するための形態】
【００１６】
以下、本発明の一実施形態を、添付図面を用いて説明する。
【００１７】
（実施の形態１）
図１は、本発明の一実施形態を示し、本体ケース１の前面側には矩形形状の表示部２が設けられている。
【００１８】
また、本体ケース１の前面側で表示部２の外周部分には、ユーザの顔を撮影するカメラ部３と電源スイッチ部４が設けられている。
【００１９】
表示部２とカメラ部３は、図２に示すように制御部５に接続されている。また、この制御部５には、電源スイッチ部４を介して電源部６が接続されている。さらに、制御部５には、メモリ部７、回転角センサー８、表示部２の表示背面に設けられたタッチセンサーよりなる操作部９が接続されている。
【００２０】
すなわち、表示部２には、例えば図３に示すように各種アイコン等を含む操作部９が表示されており、この操作部９を操作することにより、例えば図４に示すように、表示部２には、本の文章が表示されるようになっている（これらのことは一般的な事項である）。
【００２１】
本実施形態の特徴点は、図３、図４に示すように、矩形状となった表示部２内のコーナー部分にタッチセンサーよりなる手振れ補正起動スイッチと手振れ補正停止スイッチを兼用させた操作部１０を設けたことである。
【００２２】
この操作部１０は、手振れ補正起動スイッチと手振れ補正停止スイッチを兼用している
ので、奇数回の押圧操作で表示部２の手振れ補正の機能が起動され、偶数回の押圧操作で手振れ補正の機能が停止されるようになっている。
【００２３】
また、この操作部１０は表示部２内の他の表示とは異なり、手振れ補正が行われても、図３、図４に示すように、矩形状となった表示部２内のコーナー部分に固定された状態（不動状態）で表示されるようになっている。
【００２４】
以下、本実施形態の動作について説明するが、理解を進めるために、先ずは、図５を用いて全体的な動作を説明する。
【００２５】
例えば、自動車内で使用者は電源スイッチ部４を操作すれば、携帯機器１の全体のシステムが起動状態となる（図５のＳ１、Ｓ２）。
【００２６】
なお、Ｓ２においては、メモリ部７に固定値として記憶された実体両目間隔Ｗ（例えば７センチ）と、過剰移動量判定値Ｚが読み出される。過剰移動量判定値Ｚは、本体ケース１が大きく移動（過剰移動）した時に、表示部２の映像を手振れ補正しないようにするための閾値である。
【００２７】
次に、カメラ部３が起動され（図５のＳ３）、その後、表示部２には例えば図３に示すような各種コンテンツを表示させる（図５のＳ４）。
【００２８】
その後、カメラ部３で捕らえた映像から、ユーザの目の位置を検出する（図５のＳ５）。
【００２９】
次に、図１の表示部２内に示した操作部１０の状態を確認する（図５のＳ６）。
【００３０】
操作部１０は、図１に示すように、矩形状の表示部２内の下方コーナー部分に不動状態で表示させられている。
【００３１】
本実施形態では、この操作部１０は上述のごとく、手振れ補正起動スイッチと手振れ補正停止スイッチを兼用させており、押下することで手振れ補正起動スイッチ機能、または手振れ補正停止スイッチ機能を発揮させる構成としている。
【００３２】
具体的には、操作部１０を奇数回押圧操作すれば、手振れ補正の機能が起動され、偶数回押圧操作すれば、手振れ補正の機能が停止されるようになっている。
【００３３】
そして、操作部１０を１回押圧操作して手振れ補正の機能を起動すると、振動による影響を考慮した補正処理が行われ（図５のＳ７）、次に回転による影響を考慮した補正処理が行われ（図５のＳ８）、その後、これらＳ７、Ｓ８の結果から、最終的な手振れ補正が行われる（図５のＳ９）。
【００３４】
以上のように、手振れ等によりユーザの目と表示部２の相対関係が変化しても、それに合わせて表示部２内の画面を移動させ、ユーザの目と表示部２の画面の関係が大きく変化しないようにしているので、このような手振れ発生時でも、表示部２の画面は見易くすることができる。つまり、表示部２内に表示された映像を、ユーザの目の位置関係からこの表示部２内で移動させ（手振れ補正）、それによって電車、バスなどの乗り物に乗車中のユーザでも表示部２の画面が観にくくなるのを抑制するものである。
【００３５】
なお、本実施形態では、矩形状の表示部２内の下方コーナー部分に操作部１０を不動状態で表示させている。このような手振れ補正機能が起動している時でも、操作部１０は矩
形状の表示部２内の下方コーナー部分に動かさずに不動状態で表示させているので、この操作部１０の操作も行いやすいものとなる。
【００３６】
以上の説明で本実施形態の基本的な動作が理解されたところで、図５におけるＳ５、Ｓ６、Ｓ７、Ｓ８、Ｓ９部分について、詳細に説明する。
【００３７】
先ず、カメラ部３で捕らえた映像から、ユーザの目の位置を検出する部分（図５のＳ５）について図６を用いて説明する。
【００３８】
このときには、制御部５は初期座標検出処理を開始する（図６のＳ５１）。
【００３９】
先ず、制御部５は表示部２に対する表示コンテンツの表示位置の初期化（位置補正の為の制御値の初期化）を行う（図６のＳ５２）。
【００４０】
次に、カメラ部３によって撮影された映像から制御部５はユーザの目の位置を検出する動作が開始する（図６のＳ５３）。
【００４１】
先ず、制御部５は顔が検出できたか（図６のＳ５４）、次に目の位置が判定できたかを確認する（図６のＳ５５）。
【００４２】
そして、制御部５はカメラ映像上の目の中心座標（ｘ１、ｙ１）をメモリ部７に記憶させ（図６のＳ５６）、また、カメラ映像上の両目間隔（ｗ）をメモリ部７に記憶させる（図６のＳ５７）。
【００４３】
その後、制御部５はウエイト処理（手振れ検出と、補正のタイミング調整のための処理）を行い（図６のＳ５８）、この初期座標検出処理を終了する（図６のＳ５９）。
【００４４】
次に、図１の表示部２内に示した操作部１０の状態を確認する部分（図５のＳ６）について、図７を用いて説明する。
【００４５】
これは、図１に示した操作部１０の操作状態を制御部５がどのように認識するのかを示すものである。
【００４６】
操作部１０は、上述のごとく、手振れ補正起動スイッチと手振れ補正停止スイッチを兼用させたもので、押下することで手振れ補正起動スイッチ機能、または手振れ補正停止スイッチ機能を発揮させる構成としている。
【００４７】
制御部５は、操作部１０が押下される度に補正開始または停止動作を開始する（図７のＳ６１）。
【００４８】
先ず、図４のごとく、制御部５は、矩形状となった表示部２内のコーナー部分に手振れ補正起動スイッチと手振れ補正停止スイッチを兼用させた操作部１０を表示させる（図７のＳ６２）。
【００４９】
次に、制御部５は、現在の状態が手振れ補正停止状態か手振れ補正中状態かを判定する（図７のＳ６３）。
【００５０】
そして、制御部５は、その判定結果が手振れ停止状態であれば、操作部１０が操作されたか否かを判定し（図７のＳ６４）、その後、操作部１０が操作されると補正処理を開始し、手振れ補正状態にする（図７のＳ６５）。
【００５１】
また、Ｓ６３において、手振れ補正状態であれば、操作部１０が操作されたか否かを判定し（図７のＳ６６）、その後、操作部１０が操作されると補正処理を一旦停止し、手振れ補正停止状態にする（図７のＳ６７）。
【００５２】
次に、図５におけるＳ７、つまり、操作部１０の操作により手振れ補正起動スイッチが押下され、振動による影響を考慮した補正処理について、図８を用いて説明する。
【００５３】
図５のＳ７に移行すると、図８の手振れ補正動作が開始される（図８のＳ７１）。
【００５４】
先ず、カメラ部３によって撮影された映像から、制御部５は、ユーザの目の位置を検出する動作を開始する（図８のＳ７２）。制御部５は、顔を検出できたか（図８のＳ７３）、次に目の位置を判定できたかを確認する（図８のＳ７４）。制御部５は、顔の検出及び目の位置を判定できなかった場合には、再度、カメラ部３によって撮影された映像から顔の検出及び目の位置判定を行う（図８のＳ７２）。
【００５５】
そして、制御部５は顔の検出及び目の位置が判定できた場合には、カメラ映像上の目の中心座標（ｘ２、ｙ２）をメモリ部７に記憶する（図８のＳ７５）。このとき、メモリ部７には、初期設定状態として、既に、カメラ映像上の目の中心座標（ｘ１、ｙ１）、カメラ映像上の両目間隔（ｗ）、実体両目間隔Ｗ（例えば７センチ）が記憶されている。したがって、次に状態では、水平移動量ｘ３と垂直移動量ｙ３が算出され、メモリ部７に記憶される（図８のＳ７６）。
【００５６】
なお、水平移動量ｘ３は、（ｘ２−ｘ１）Ｗ／ｗから算出され、垂直移動量ｙ３は、（ｙ２−ｙ１）Ｗ／ｗから算出される。さらに、制御部５は、今回の座標（ｘ２、ｙ２）を新たな前回座標としてメモリ部７に記憶し、次回のｘ３、ｙ３を算出する時のデータし、この補正処理が完了する（図８のＳ７８）。
【００５７】
次に、図５のＳ８部分、つまり、回転による影響を考慮した補正処理が行われについて図９を用いて説明する。
【００５８】
この補正処理がスタート（図９のＳ８１）すると、先ず、表示部２とユーザの顔間の距離（ｄ）が算出される（図９のＳ８２）。
【００５９】
これは、実体両目間隔Ｗ（例えば７センチ）とカメラ映像上の両目間隔（ｗ）との関係から容易に算出することができる。
【００６０】
次に、本体ケース１の水平回転角度（ａ）、垂直回転角度（ｂ）を図２に示す回転角センサー８によって検出し、メモリ部７に記憶させる（図９のＳ８３）。
【００６１】
そして、この水平回転角度（ａ）、垂直回転角度（ｂ）と表示部２とユーザの顔間の距離（ｄ）を用いて回転による両目の移動量を算出する（図９のＳ８４）。
【００６２】
この場合、画面水平方向の移動量はｘ４とし、また画面垂直方向の移動量はｙ４として算出される。
【００６３】
画面水平方向の移動量ｘ４＝２πｄａ／３６０
画面垂直方向の移動量ｙ４＝２πｄｂ／３６０
そして、以上の動作で、回転補正処理が終了する（図９のＳ８５）。
【００６４】
次に、図５における最終的な手振れ補正（図５のＳ９）について、図１０を用いて説明する。
【００６５】
手振れ補正とは、表示部２における表示位置移動処理であり、この処理は図１０のＳ９１からスタートされる。
【００６６】
この処理については、先ずは表示部２に対して、ユーザの顔が過剰回転したか、否かの判定から実行される（図１０のＳ９２）。
【００６７】
この状態は、例えば、表示部２を観ながら歩いている状態で、曲がり角を曲がった状態では、本体ケース１は水平回転角が９０度回転したが、顔も同じ方向に回転しており、その場合には、回転補正を実行する必要の無いものとなるので、そのようなために実行する（図１０のＳ９３）。
【００６８】
また、制御部５が過剰回転でないと判定した場合には、実際の目の水平移動量（ｘ）、実際の目の垂直移動量（ｙ）が算出する。
【００６９】
なお、実際の目の水平移動量（ｘ）＝振動補正分ｘ３−回転相殺分ｘ４、実際の目の垂直移動量（ｙ）＝振動補正分ｙ３−回転相殺分ｙ４から容易に算出される（図１０のＳ９４）。
【００７０】
次に、このようにして求めた実際の目の水平移動量（ｘ）と、実際の目の垂直移動量（ｙ）が、図５のＳ２に示した、過剰移動量判定値Ｚを超えていないか否かの判定が行われる（図１０のＳ９５）。
【００７１】
つまり、手振れ量が大きすぎると、画面補正量が大きくなってかえって見にくくなるので、このときには、手振れ補正を諦め、実行しないようにした。
【００７２】
そして、（図１０のＳ９５）において、手振れ量が大きすぎないと判定されると、制御部５は、表示部２内における表示（画像）を、実際の目の水平移動量（ｘ）、実際の目の垂直移動量（ｙ）だけ、移動させる（図１０のＳ９６）。
【００７３】
その後、ウエイト処理（手振れ検出と、補正のタイミング調整のための処理）が行われ（図１０のＳ９７）、この初期座標検出処理が終了する（図１０のＳ９８）。
【００７４】
以上のごとく、本実施形態によれば、操作部１０を奇数回押圧操作すれば、手振れ補正の機能が起動され、偶数回押圧操作すれば、手振れ補正の機能が停止されるようになっている。
【００７５】
そして、操作部１０を１回押圧操作することで、手振れ補正の機能を起動させた状態では、手振れ等によりユーザの目と表示部２の相対関係が変化すると、それに合わせて表示部２内の映像を移動させ、ユーザの目と表示部の画像の関係が大きく変化しないようにしているので、このような手振れ発生時でも、表示部の画像は見易くなる。
【００７６】
また、このような手振れ補正時でも、操作部１０は、矩形状の表示部２内の下方コーナー部分に、不動状態で表示させているので、この操作部１０の操作も行いやすいものとなる。
【００７７】
なお、本実施の形態では、手振れ補正起動スイッチと手振れ補正停止スイッチを兼用させているが、手振れ補正起動スイッチと手振れ補正停止スイッチを別々に設けても構わな
い。その場合、手振れ補正起動スイッチおよび手振れ補正停止スイッチの少なくともどちらかは表示部２内のコーナー部分に不動表示で表示させるのが望ましい。
【産業上の利用可能性】
【００７８】
以上のように、本発明は、操作部の操作性を高いものとなる為、スマートフォンやタブレット端末等のタッチパネルを利用した携帯端末への活用が期待される。
【符号の説明】
【００７９】
１  本体ケース
２  表示部
３  カメラ部
４  電源スイッチ部
５  制御部
６  電源部
７  メモリ部
８  回転角センサー
９  操作部
１０  操作部
【図１】
2013211620.tif 000003
【図２】
2013211620.tif 000004
【図３】
2013211620.tif 000005
【図４】
2013211620.tif 000006
【図５】
2013211620.tif 000007
【図６】
2013211620.tif 000008
【図７】
2013211620.tif 000009
【図８】
2013211620.tif 000010
【図９】
2013211620.tif 000011
【図１０】
2013211620.tif 000012